(57)【特許請求の範囲】
【請求項１】
点検時や精算時に商品販売登録データ処理装置から売上データに基づいて印字発行された記録用紙を受け付ける用紙受付部と、
この用紙受付部により受け付けた前記記録用紙を巻き取るための巻取リールを回転自在かつ着脱自在に支持する巻取リール支持手段と、
この巻取リール支持手段により支持された前記巻取リールを回転させ、前記商品販売登録データ処理装置から印字発行された前記記録用紙を巻き取らせる巻取リール駆動手段と、
を備え、この巻取リール駆動手段の巻取速度は前記商品販売登録データ処理装置からの前記記録用紙の印字速度と同速であることを特徴とする前記商品販売データ処理装置とは別体で設けられる用紙巻取装置。
【請求項２】
所望の売上データの印字色とその他の売上データの印字色とを異ならせて印字する二色印字手段を有する商品販売登録データ処理装置からそれらの売上データに基づいて印字発行された記録用紙を受け付ける用紙受付部と、
この用紙受付部により受け付けた前記記録用紙を巻き取るための巻取リールを回転自在かつ着脱自在に支持する巻取リール支持手段と、
この巻取リール支持手段により支持された前記巻取リールを回転させ、前記商品販売登録データ処理装置から印字発行された前記記録用紙を巻き取らせる巻取リール駆動手段と、
前記巻取リールにより巻き取られる前記記録用紙の巻取経路上に設けられ、前記その他の売上データの印字色と同色の透明フィルタと、
を備えることを特徴とする請求項１記載の用紙巻取装置。
【発明の詳細な説明】
【０００１】
【発明の属する技術分野】
本発明は、スーパーマーケットやコンビニエンスストア等で使用されるＰＯＳ（Point of Sales：販売時点管理）端末等の商品販売登録データ処理装置に別体で設けられる用紙巻取装置に関する。
【０００２】
【従来の技術】
一般に、商品販売登録データ処理装置であるＰＯＳ端末等においては、顧客の買い上げた商品の商品名・価格・数量や小計金額、消費税額、合計金額等をレシートプリンタによって印字してレシートとして発行するようにしている。
【０００３】
加えて、ＰＯＳ端末等の有する機能として、所定の時間（点検時）や一日の精算の際（精算時）に各種レポートをレシートプリンタによって印字発行する点検レシート発行機能および精算レシート発行機能がある。これらの点検レシート発行機能や精算レシート発行機能は、部門別、取引別、時間帯別、責任者別といった様々な視点から日計・累計データ等を売上データに基づくレポートとして出力するので、非常に有用である。
【０００４】
【発明が解決しようとする課題】
ところで、近年の商品販売登録データ処理装置の高性能化・多機能化によって、点検時や精算時に出力される各種レポート数が増加している。これにより、点検時や精算時にレシートプリンタによって印字発行される各種レポート（点検レシート・精算レシート）の長さは、数メートルにも達している。
【０００５】
しかしながら、レシートプリンタは各種レポートをそのまま排出するために、排出された数メートルにも達する各種レポートをどのように扱うかが問題となっている。例えば、排出された各種レポートを手作業によってロール状に巻回したり折りたたんだりしているが、非常に面倒であり、作業が煩雑になってしまっていた。
【０００６】
また、各種レポートは売上内容を詳細に示すデータとして会計管理や各種分析に利用されるものではあるが、全てのデータを頻繁に利用するものではない。したがって、各種レポートに印字されている膨大な件数のデータの中から一件一件目視しながら所望のデータを手作業で検索することは、探し出すまでに膨大な時間と手間とを費やしてしまうという問題がある。
【０００７】
本発明の目的は、点検時や精算時の作業を容易にすることができる用紙巻取装置を得ることである。
【０００８】
本発明の目的は、目的のデータを容易に検索することができる用紙巻取装置を得ることである。
【０００９】
【課題を解決するための手段】
請求項１記載の商品販売データ処理装置とは別体で設けられる用紙巻取装置の発明は、点検時や精算時に前記商品販売登録データ処理装置から売上データに基づいて印字発行された記録用紙を受け付ける用紙受付部と、この用紙受付部により受け付けた前記記録用紙を巻き取るための巻取リールを回転自在かつ着脱自在に支持する巻取リール支持手段と、この巻取リール支持手段により支持された前記巻取リールを回転させ、前記商品販売登録データ処理装置から印字発行された前記記録用紙を巻き取らせる巻取リール駆動手段と、を備え、この巻取リール駆動手段の巻取速度は前記商品販売登録データ処理装置からの前記記録用紙の印字速度と同速であることを特徴とする。
【００１０】
したがって、商品販売登録データ処理装置から印字発行されて用紙受付部により受け付けられた記録用紙が、巻取リール支持手段により支持されて巻取リール駆動手段により回転駆動される巻取リールによって巻き取られる。これにより、例えば点検時や精算時に印字発行される点検レシートや精算レシートのような長い記録用紙を巻き取ることが可能になるので、点検時や精算時の作業が容易になる。
【００１１】
請求項２記載の発明は、請求項１記載の発明において、所望の売上データの印字色とその他の売上データの印字色とを異ならせて印字する二色印字手段を有する商品販売登録データ処理装置からそれらの売上データに基づいて印字発行された記録用紙を受け付ける用紙受付部と、この用紙受付部により受け付けた前記記録用紙を巻き取るための巻取リールを回転自在かつ着脱自在に支持する巻取リール支持手段と、この巻取リール支持手段により支持された前記巻取リールを回転させ、前記商品販売登録データ処理装置から印字発行された前記記録用紙を巻き取らせる巻取リール駆動手段と、前記巻取リールにより巻き取られる前記記録用紙の巻取経路上に設けられ、前記その他の売上データの印字色と同色の透明フィルタと、を備える。
【００１２】
したがって、二色印字手段により所望の売上データの印字色とその他の売上データの印字色とを異ならせて印字されて商品販売登録データ処理装置から発行されて用紙受付部により受け付けられた記録用紙が、巻取リールに巻き取られる過程でその他の売上データの印字色と同色の透明フィルタの下方を通過する。これにより、所望の売上データ以外のその他の売上データについては透明フィルタを介して見ると視認することができなくなり、所望の売上データのみを視認することが可能になるので、目的のデータの検索が容易になる。
【００１３】
【発明の実施の形態】
本発明の実施の一形態を図１ないし図７に基づいて説明する。本実施の形態の用紙巻取装置は、スーパーマーケットやコンビニエンスストア等で使用される商品販売登録データ処理装置であるＰＯＳ（Point of Sales：販売時点管理）端末に別体で備えられて利用される用紙巻取装置に適用されている。
【００１４】
ここで、図１は用紙巻取装置１の構成を概略的に示す分解斜視図、図２はその側面図、図３（ａ）は下リール支持部５付近を示す横断平面図、図３（ｂ）は上リール支持部６付近を示す平面図である。用紙巻取装置１は、二つの巻取リール２，３とこれらの巻取リール２，３を回転自在に支持する巻取ホルダ４とを主体に構成されている。詳細には、巻取ホルダ４は、板状の立設片４ａ，４ｂを有する略コ字状に形成されている。これらの立設片４ａ，４ｂには、下リール支持部５と上リール支持部６とが上下方向に二層に分かれて形成されている。
【００１５】
巻取ホルダ４の下リール支持部５の上端には、それぞれ切欠７が形成されている。また、巻取ホルダ４の上リール支持部６の上端には、それぞれ切欠８が形成されている。つまり、切欠７に巻取リール２の軸心２ａの両端を挿入することにより巻取リール２が巻取ホルダ４の下リール支持部５によって回転自在に支持され、切欠８に巻取リール３の軸心３ａの両端を挿入することにより巻取リール３が巻取ホルダ４の上リール支持部６によって回転自在に支持されることになる。つまり、下リール支持部５と上リール支持部６とがそれぞれ巻取リール支持手段として機能することになる。また、図３に示すように、巻取リール２の軸心２ａ及び巻取リール３の軸心３ａには、点検時や精算時にレシートプリンタ２１（図４参照）によって印字発行される記録用紙である点検レシートや精算レシート等のレポート２０（図４参照）の端部を挟み込んで係止してレポート２０を巻き付けるための溝２ｂ及び溝３ｂが設けられている。加えて、特に図示しないが、巻取リール２，３は、周知のように巻き取ったレポート２０を巻回したまま取り外し可能な構造になっている。なお、切欠７は、巻取リール２をａ方向（図４参照）に回転させてレポート２０を巻き取る際にその巻取リール２が容易に外れないような方向に向けて斜めに切り欠かれており、切欠８は、巻取リール３をｂ方向（図６参照）に回転させてレポート２０を巻き取る際にその巻取リール３が外れないような方向に向けて斜めに切り欠かれている。
【００１６】
また、巻取リール２の軸心２ａの一端側には巻取ギヤ９が固定されており、立設片４ａの下リール支持部５の近傍には下リール支持部５によって回転自在に支持された状態の巻取リール２の巻取ギヤ９に噛合する駆動ギヤ１０を有する巻取モータ１１が設けられている。さらに、立設片４ａの内側であって下リール支持部５の近傍には、駆動ギヤ１０に噛合させてプーリ１２が設けられている。また、立設片４ａの内側であって上リール支持部６の近傍にもプーリ１３が設けられており、これらのプーリ１２とプーリ１３とには、タイミングベルト１４が掛け渡されている。さらに、巻取リール３の軸心３ａの一端側には巻取ギヤ１５が固定されており、立設片４ａの上リール支持部６の近傍には上リール支持部６によって回転自在に支持された状態の巻取リール３の巻取ギヤ１５とプーリ１３とに噛合するアイドルギヤ１６が設けられている。巻取モータ１１は、例えば切換スイッチ（図示せず）によって、回転方向を正転方向または逆転方向に切換可能な構成とされている。以上の構成により、下リール支持部５によって回転自在に支持された状態の巻取リール２と上リール支持部６によって回転自在に支持された状態の巻取リール３とを同時に同方向に回転させることが可能になっている。つまり、巻取ギヤ９と駆動ギヤ１０とプーリ１２とプーリ１３とタイミングベルト１４と巻取ギヤ１５とアイドルギヤ１６とで構成される駆動系Ａと、巻取モータ１１とによって巻取リール駆動手段が実現されている。
【００１７】
加えて、巻取ホルダ４の上部にはカバー１７が設けられている。このカバー１７は、上リール支持部６によって回転自在に支持された巻取リール３には干渉しない位置において開閉自在とされていて、巻取リール３に巻き取られるレポート２０の巻取経路上に設けられている。加えて、カバー１７には、赤色の透明フィルタ１８が設けられている。
【００１８】
次に、ＰＯＳ端末の有する周知の精算レシート発行機能により日計・累計データをレポートとして発行する場合における用紙巻取装置１の動作について以下に説明する。ここで、図４はＰＯＳ端末１９により印字発行されたレポート２０を巻き取っている状態の用紙巻取装置１を示す斜視図である。ＰＯＳ端末１９は、レポート２０を印字発行するレシートプリンタ２１を備えている。なお、本実施の形態のＰＯＳ端末１９に備えられるレシートプリンタ２１は、“赤色”と“黒色”との二色で印字が可能な二色発色感熱紙を使用するサーマルプリンタであって、印字データの印字色が“赤色”である場合には“黒色”に比べて低いエネルギーの印加により“赤色”を発色させ、印字データの印字色が“黒色”である場合には“赤色”が発色する印字エネルギーより大きなエネルギーの印加により“赤色”に重ねて“黒色”を発色させるものである。ここに、二色印字手段が実現されている。
【００１９】
図４に示すように、ＰＯＳ端末１９から印字発行されたレポート２０は、その先端を巻取リール２の溝２ｂに挟み込まれた状態で軸心２ａに巻き付けられて係止させられる。その状態で、巻取リール２の軸心２ａの両端が切欠７に挿入されることにより、巻取リール２は巻取ホルダ４の下リール支持部５によって回転自在に支持される。つまり、巻取ホルダ４の立設片４ａ，４ｂの間に、ＰＯＳ端末１９から印字発行されたレポート２０を受け付ける用紙受付部４ｃが形成されている。このような状態において、切換スイッチのＯＮにより巻取モータ１１を正転方向に駆動することで駆動ギヤ１０を介して下リール支持部５によって回転自在に支持された状態の巻取リール２の巻取ギヤ９を回転させることにより、巻取リール２がレポート２０の巻取方向（矢印方向ａ）に回転駆動され、印字発行されたレポート２０が巻き取られることになる。なお、ＰＯＳ端末１９からのレポート２０の印字発行速度と、用紙巻取装置１のレポート２０の巻取速度とは、同速度とされている。
【００２０】
ここに、レシートプリンタ２１から印字発行されたレポート２０が、巻取ホルダ４の下リール支持部５により支持されて巻取モータ１１により回転駆動される巻取リール２によって巻き取られる。これにより、例えば点検時や精算時にレシートプリンタ２１によって印字発行されるレポート２０を巻き取ることが可能になるので、点検時や精算時の作業が容易になる。
【００２１】
次に、用紙巻取装置１及びＰＯＳ端末１９の組み合わせによって実現されるレポートのデータの検索手法について以下に説明する。
【００２２】
まず、前述したようにＰＯＳ端末１９により印字発行されたレポート２０をロール状に巻回した巻取リール２の軸心２ａの両端を切欠７に挿入し、巻取ホルダ４の下リール支持部５に回転自在に支持する。このような状態において、図５に示すように、巻取リール２から所定量のレポート２０を引き出し、その引き出したレポート２０の先端を巻取リール３の溝３ｂに挟み込んだ状態で軸心３ａに巻き付けて係止する。その状態で、図６に示すように、巻取リール３の軸心３ａの両端を上リール支持部６の切欠８に挿入することにより、巻取リール３を巻取ホルダ４の上リール支持部６によって回転自在に支持させる。このような状態において、切換スイッチのＯＮにより巻取モータ１１を逆転方向に駆動することで、駆動ギヤ１０を介して下リール支持部５によって回転自在に支持された状態の巻取リール２の巻取ギヤ９を回転させることにより、レポート２０が巻回されている巻取リール２からレポート２０が引き出される方向（矢印方向ｂ）に巻取リール２が回転駆動される。加えて、この動作に並行して、駆動ギヤ１０、プーリ１２、タイミングベルト１４、プーリ１３、アイドルギヤ１６を介して上リール支持部６によって回転自在に支持された状態の巻取リール３の巻取ギヤ１５を回転させることにより、巻取リール３がレポート２０の巻取方向（矢印方向ｂ）に回転駆動され、巻取リール２から引き出されたレポート２０が巻取リール３に巻き取られることになる。
【００２３】
ここで、図７は巻取リール３に巻き取られているレポート２０を赤色の透明フィルタ１８を介して示す平面図である。巻取リール２から引き出されたレポート２０は、巻取リール３に巻き取られる過程においてカバー１７に設けられた赤色の透明フィルタ１８の下方を通過する。その際、レポート２０に印字されているデータの一部を赤色の透明フィルタ１８を介して見ることができる。そこで、本実施の形態のＰＯＳ端末１９に備えられるレシートプリンタ２１は、“赤色”と“黒色”との二色で印字が可能な二色発色感熱紙を使用するサーマルプリンタであることから、総売上金額等の所定の売上データのみを“黒色”で印字してその他の売上データを“赤色”で印字することにより、図７に示すように、“赤色”で印字されたその他の売上データについては赤色の透明フィルタ１８を介して見ると視認することができなくなり、赤色の透明フィルタ１８を介して見ると“黒色”で印字された所定の売上データ（ここでは、精算時の総売上金額“商品総売計”とする。）のみを視認することができる。
【００２４】
つまり、巻取リール２から引き出されたレポート２０を巻取リール３によって巻き取る過程において、赤色の透明フィルタ１８を介して“黒色”で印字された所定の売上データのみが視認されることにより、目的のデータを“黒色”で印字さえしていれば、容易に検索することが可能になる。このようにして目的のデータが視認された場合には、切換スイッチのＯＦＦにより巻取モータ１１を停止させれば良い。
【００２５】
ここに、所定の売上データが“黒色”で印字されるとともに所定の売上データ以外のその他の売上データが“赤色”で印字されて発行されたレポート２０が、用紙巻取装置１の巻取リール３に巻き取られる過程でその他の売上データの印字色である“赤色”と同色の透明フィルタ１８の下方を通過する。これにより、“黒色”で印字された所定の売上データ以外の“赤色”で印字されたその他の売上データについては透明フィルタ１８を介して見ると視認することができなくなり、“黒色”で印字された所定の売上データのみを視認することが可能になるので、目的のデータの検索が容易になる。
【００２６】
なお、本実施の形態においては、ＰＯＳ端末１９により印字発行されたレポート２０を用紙巻取装置１を用いて巻き取るようにしたが、これに限るものではなく、例えば電子ジャーナル機能を有する商品販売登録データ処理装置において臨時に印字発行したジャーナルを用紙巻取装置１を用いて巻き取るようにしても良い。
【００２７】
また、本実施の形態においては、ＰＯＳ端末１９により印字発行されたレポート２０を巻取ホルダ４の下リール支持部５によって回転自在に支持された巻取リール２によって巻き取るようにしたが、用紙巻取装置１においては、巻取ホルダ４の上リール支持部６によって回転自在に支持された巻取リール３によって同様に巻き取ることも可能になっている。この場合には、ＰＯＳ端末１９により印字発行されたレポート２０を上リール支持部６によって回転自在に支持された巻取リール３によって巻き取る過程において、赤色の透明フィルタ１８を介して“黒色”で印字された所定の売上データのみを視認することが可能になる。
【００２８】
さらに、本実施の形態においては、データの検索について、レポート２０を用紙巻取装置１にセットすることで行うようにしたが、これに限るものではなく、商品販売登録データ処理装置のジャーナルプリンタによって印字発行されるジャーナルについても“赤色”と“黒色”との二色印字であれば用紙巻取装置１にセットすることでそのジャーナルに印字されているジャーナルデータの検索が可能になる。
【００２９】
なお、本実施の形態においては、ＰＯＳ端末１９に備えられるレシートプリンタ２１として“赤色”と“黒色”との二色で印字が可能な二色発色感熱紙を使用するサーマルプリンタを適用したが、これに限るものではなく、“赤色”と“黒色”との二色で印字が可能なインクジェットプリンタ等であっても良い。
【００３０】
また、本実施の形態においては、二色発色感熱紙が発色する色を“赤色”と“黒色”との組み合わせとしたが、これに限るものではなく、例えば“青色”と“黒色”との組み合わせ等であっても良い。ただし、例えば“青色”と“黒色”との組み合わせにした場合には、透明フィルタ１８を青色に変更する必要がある。
【００３１】
【発明の効果】
請求項１記載の発明によれば、点検時や精算時に商品販売登録データ処理装置から売上データに基づいて印字発行された記録用紙を受け付ける用紙受付部と、この用紙受付部により受け付けた前記記録用紙を巻き取るための巻取リールを回転自在かつ着脱自在に支持する巻取リール支持手段と、この巻取リール支持手段により支持された前記巻取リールを回転させ、前記商品販売登録データ処理装置から印字発行された前記記録用紙を巻き取らせる巻取リール駆動手段と、を備え、この巻取リール駆動手段の巻取速度は前記商品販売登録データ処理装置からの前記記録用紙の印字速度と同速であり、商品販売登録データ処理装置から印字発行されて用紙受付部により受け付けられた記録用紙を巻取リール支持手段により支持されて巻取リール駆動手段により回転駆動される巻取リールによって巻き取ることにより、例えば点検時や精算時に印字発行される点検レシートや精算レシートのような長い記録用紙を巻き取ることができるので、点検時や精算時の作業を容易にすることができる。
【００３２】
請求項２記載の発明によれば、請求項１記載の発明において、所望の売上データの印字色とその他の売上データの印字色とを異ならせて印字する二色印字手段を有する商品販売登録データ処理装置からそれらの売上データに基づいて印字発行された記録用紙を受け付ける用紙受付部と、この用紙受付部により受け付けた前記記録用紙を巻き取るための巻取リールを回転自在かつ着脱自在に支持する巻取リール支持手段と、この巻取リール支持手段により支持された前記巻取リールを回転させ、前記商品販売登録データ処理装置から印字発行された前記記録用紙を巻き取らせる巻取リール駆動手段と、前記巻取リールにより巻き取られる前記記録用紙の巻取経路上に設けられ、前記その他の売上データの印字色と同色の透明フィルタと、を備え、二色印字手段により所望の売上データの印字色とその他の売上データの印字色とを異ならせて印字されて商品販売登録データ処理装置から発行されて用紙受付部により受け付けられた記録用紙を巻取リールに巻き取られる過程でその他の売上データの印字色と同色の透明フィルタの下方を通過させることにより、所望の売上データ以外のその他の売上データについては透明フィルタを介して見ると視認することができなくなり、所望の売上データを視認することができるので、目的のデータを容易に検索することができる。
【図面の簡単な説明】
【図１】本発明の実施の一形態の用紙巻取装置の構成を概略的に示す分解斜視図である。
【図２】その側面図である。
【図３】（ａ）は下リール支持部付近を示す横断平面図、（ｂ）は上リール支持部付近を示す平面図である。
【図４】ＰＯＳ端末により印字発行されたレポートを巻き取っている状態の用紙巻取装置を示す斜視図である。
【図５】下リール支持部の巻取リールから引き出したレポートを別の巻取リールに係止した状態の用紙巻取装置を示す斜視図である。
【図６】下リール支持部の巻取リールから引き出したレポートを上リール支持部の巻取リールで巻き取っている状態の用紙巻取装置を示す斜視図である。
【図７】巻取リールに巻き取られているレポートを赤色の透明フィルタを介して示す平面図である。
【符号の説明】
１          用紙巻取装置
２，３      巻取リール
４ｃ        用紙受付部
５，６      巻取リール支持手段
１１，Ａ    巻取リール駆動手段
１８        透明フィルタ
１９        商品販売登録データ処理装置
２０        記録用紙
【図１】
0003717100.tif 000002
【図２】
0003717100.tif 000003
【図３】
0003717100.tif 000004
【図４】
0003717100.tif 000005
【図５】
0003717100.tif 000006
【図６】
0003717100.tif 000007
【図７】
0003717100.tif 000008